(57)【要約】【課題】信号線を短くでき、筐体の小型化を図れ、信号線をコネクタに良好に接続することが可能で、しかも部品点数の削減を図ることが可能な携帯電子機器を提供する。【解決手段】第１の筐体１０１と第２の筐体１０２を有し、第２の筐体１０２には、第２の電子部品と電気的に接続された回路基板５５が配置され、回路基板５５は、ヒンジ部１０３の内部側の面に第１の信号線が接続されるコネクタ７２を有し、ヒンジ部１０３内には、振動可能なバイブレータ６０と、バイブレータが配置されるケース体６１が配設され、ケース体６１は、１の信号線をヒンジ部１０３の内部側に押圧する押圧部６１４を有する。【選択図】図８
2009182738.tif 000002
【特許請求の範囲】
【請求項１】
第１の筐体と、
前記第１の筐体内に配設された第１の電子部品と、
第２の筐体と、
前記第２の筐体内に配設された第２の電子部品と、
前記第１の筐体と前記第２の筐体とが重なり合う閉状態と前記重なり合う程度が前記閉状態に比べて小さい開状態との間を回動可能に前記第１の筐体と前記第２の筐体とを連結する連結部と、
前記連結部の内部を介して前記第１の電子部品と前記第２の電子部品とを電気的に接続する第１の信号線と、を有し、
前記第２の筐体には、前記第２の電子部品と電気的に接続された回路基板が配置され、
前記回路基板は、前記連結部の内部側の面に前記第１の信号線が接続されるコネクタを有し、
前記連結部内には、振動可能なバイブレータと、前記バイブレータが配置されるケース体が配設され、
前記ケース体は、前記第１の信号線を前記連結部の内部側に押圧する押圧部を有する
ことを特徴とする携帯電子機器。
【請求項２】
前記第１の筐体と前記第２の筐体のいずれか一方の内部であって前記連結部近傍に配設される音響装置を有する
ことを特徴とする請求項１に記載の携帯電子機器。
【請求項３】
前記バイブレータは、前記回路基板と電気的に接続される第２の信号線を有し、
前記第２の信号線は、前記押圧部における前記第１の信号線を押圧する側の面と反対側の面側に配設される
ことを特徴とする請求項１または２記載の携帯電子機器。
【請求項４】
前記音響装置は、前記回路基板と電気的に接続される第３の信号線を有し、
前記第３の信号線は、前記押圧部における前記第１の信号線を押圧する側の面と反対側の面側に配設される
ことを特徴とする請求項２に記載の携帯電子機器。
【発明の詳細な説明】
【技術分野】
【０００１】
本発明は、例えば携帯電話機のように第１の筐体と第２の筐体とが連結部を介して連結されて構成される携帯電子機器に関するものである。
【背景技術】
【０００２】
近年の携帯端末装置には、例えばＬＣＤ等の表示部やレシーバ部等を含む第１の筐体と、テンキー等を含む操作部やマイクロフォン等を含む第２の筐体とが、連結部により連結される、いわゆる折り畳み型の構成が多く採用されている（たとえば特許文献１参照）。
【０００３】
特許文献１に開示された携帯電子機器は、第１の筐体と、この第１の筐体内に配設された第１の回路基板と、第２の筐体と、この第２の筐体内に配設された第２の回路基板と、開状態および閉状態の間を回動可能に第１の筐体と第２の筐体とを連結する連結部と、連結部内を介して第１の回路基板と第２の回路基板とを電気的に接続する信号線と、を有し、第１の回路基板は、閉状態における第１の回路基板と第２の回路基板とが対向し合う側の面の反対側の面に第１のコネクタを有し、第２の回路基板は、閉状態における第１の回路基板と第２の回路基板とが対向し合う側の面の反対側の面に第２のコネクトを有し、信号線は第１のコネクタおよび第２のコネクタに接続されて第１の回路基板と第２の回路基板とを接続する。
【０００４】
より具体的には、折り畳み型携帯電話機において、ＬＣＤ側からの信号を操作部側の回路基板に接続するためのコネクタが、操作部の配置面と反対側の面（背面）側に配置されている。
【特許文献１】特開２００６−１００３１９号公報
【発明の開示】
【発明が解決しようとする課題】
【０００５】
ところが、特許文献１に開示された携帯電子機器では、上述したように、第１のコネクタと第２のコネクタとが閉状態において対向する面と反対側の面（背面）側に設けられていることから、装置の厚みが厚くなり、また、信号線が長くならざるを得ず、筐体の大型化を招くという不利益がある。
【０００６】
また、たとえば第１のコネクタが回路基板の閉状態における第２の筐体側の面に配設される構成を採用して筐体の小型化を図ろうとすると、信号線をコネクタに好適に接続することが組み立て上困難となり、容易に組み立てようとするための構成が改めて必要となり、部品点数の増加を招く。
【０００７】
本発明の目的は、筐体の小型化を図れ、信号線をコネクタに良好に接続することが可能な携帯電子機器を提供することにある。
【課題を解決するための手段】
【０００８】
本発明の携帯電子機器は、第１の筐体と、前記第１の筐体内に配設された第１の電子部品と、第２の筐体と、前記第２の筐体内に配設された第２の電子部品と、前記第１の筐体と前記第２の筐体とが重なり合う閉状態と前記重なり合う程度が前記閉状態に比べて小さい開状態との間を回動可能に前記第１の筐体と前記第２の筐体とを連結する連結部と、前記連結部の内部を介して前記第１の電子部品と前記第２の電子部品とを電気的に接続する第１の信号線と、を有し、前記第２の筐体には、前記第２の電子部品と電気的に接続された回路基板が配置され、前記回路基板は、前記連結部の内部側の面に前記第１の信号線が接続されるコネクタを有し、前記連結部内には、振動可能なバイブレータと、前記バイブレータが配置されるケース体が配設され、前記ケース体は、前記第１の信号線を前記連結部の内部側に押圧する押圧部を有する。
【０００９】
好適には、前記第１の筐体と前記第２の筐体のいずれか一方の内部であって前記連結部近傍に配設される音響装置を有する。
【００１０】
好適には、前記バイブレータは、前記回路基板と電気的に接続される第２の信号線を有し、前記第２の信号線は、前記押圧部における前記第１の信号線を押圧する側の面と反対側の面側に配設される。
【００１１】
好適には、前記音響装置は、前記回路基板と電気的に接続される第３の信号線を有し、前記第３の信号線は、前記押圧部における前記第１の信号線を押圧する側の面と反対側の面側に配設される。
【発明の効果】
【００１２】
本発明によれば、筐体の小型化を図れ、信号線をコネクタに良好に接続することができる。
【発明を実施するための最良の形態】
【００１３】
以下、本発明の実施形態を図面に関連付けて説明する。
【００１４】
以下、本発明の実施形態においては、本発明の携帯電子機器として携帯端末１００を例にして説明する。
本実施形態の携帯端末１００は、折り畳み型の携帯電話機を想定している。
【００１５】
図１は、本実施形態の携帯端末１００の外観を示す図である。
【００１６】
携帯端末１００は、図１に示すように、表示装置１０およびレシーバ１１が設けられた第１の筐体１０１と、テンキー等を含む操作部１２およびマイクロフォン（以下、マイクという）１３が設けられた第２の筐体１０２とを有する。
第１の筐体１０１と第２の筐体１０２とは、ヒンジ機構を内包するヒンジ部１０３（本発明の連結部に対応）によって連結される。
ヒンジ機構を内包するヒンジ部１０３は、携帯端末１００を図１（Ａ）に示す開状態と図１（Ｂ）に示す閉状態の２種類の状態に遷移させるように、第１の筐体１０１と第２の筐体１０２とを相対的に回動させることができる。
【００１７】
図２は、携帯端末１００の第１の筐体１０１側の内部構造を示す分解斜視図である。
【００１８】
図２においては、符号２０が付された側が第１の筐体１０１の表示装置１０側、すなわち携帯端末１００を折り畳んだとき（閉状態）に内側になる側であり、符号２６が付された側が閉状態において外側に露出される側である。
【００１９】
第１の筐体１０１は、図２に示すように、ＬＣＤ用プレート２０、フロントケース２１、ＬＣＤモジュール２２、シールドケース２３、回路基板２４、サブＬＣＤモジュール２５、およびリアケース２６を有して構成される。そして、第１の筐体１０１には、ヒンジ部１０３の構成要素であるヒンジアセンブリ３１（連結軸）、およびダミーヒンジホルダ３２が結合されている。そして、ヒンジカバー３３がヒンジ部１０３を構成するヒンジアセンブリ３１およびダミーヒンジホルダ３２を覆うように、リアケース２６に係合して結合される構成となっている。なお、本発明のヒンジ部１０３は、第１の筐体１０１および第２の筐体１０２におけるヒンジアセンブリ３１およびダミーヒンジホルダ３２の配置領域周辺、例えば配置領域５７１をも含む概念とする。
【００２０】
ＬＣＤ用プレート２０は、ＬＣＤ（液晶ディスプレイ）のためのプレートであり、たとえば硬質ガラスや樹脂プレートにより形成され、ＬＣＤモジュール２２を保護する。
ＬＣＤモジュール２２は、携帯端末１００のメイン表示デバイスであるＬＣＤのモジュール部であり、携帯端末１００が開状態であるときに露出する表示装置１０を構成するものである。
板金２３は、回路基板２４に実装される電子部品等の各部を電気的・磁気的に保護するためのシールド部材であると共に携帯端末１００の剛性を増すための部材であり、導電性を有する金属により形成された部材である。
回路基板２４は、携帯端末１００の第１の筐体１０１の機能を実現するための電子部品（第１の電子部品）を実装した回路基板であり、たとえばＬＣＤモジュール２２やサブＬＣＤモジュール２５を駆動させ表示を行わせるための制御回路等が実装されている。
サブＬＣＤモジュール２５は、携帯端末１００の閉状態においても外部に露出される副表示部を構成する小型の液晶ディスプレイモジュールである。
なお、第１の筐体１０１を構成する上述した各構成要素は一例であり、本発明は上述した例には限定されない。
【００２１】
すなわち、携帯端末１００は、外見上、第１の筐体１０１のケースが上述したフロントケース２１、リアケース２６およびヒンジカバー３３の３つのパーツにより構成されているように見える。また、ヒンジカバー３３の色を変化させたり、素材を異ならせたりすることによって、リアケース２６を小さく見せたり、ケースのデザインの自由度を高くすることが可能になる。
【００２２】
図３は、ヒンジ部１０３が第１の筐体１０１のフロントケース２１に結合された様子を示す図である。
【００２３】
図３に示すように、フロントケース２１には切欠部４０が形成されている。切欠部４０には、図示しない第２の筐体の一部が嵌入され、ヒンジ部１０３によって連結されることになる。
また、図３に示すように、切欠部４０の両側面にはそれぞれヒンジアセンブリ３１、ダミーヒンジホルダ３２が嵌め込まれる孔部４１、４２が形成されている。
【００２４】
図４は、携帯端末１００の第２の筐体１０２側の内部構造を示す分解斜視図である。
図５は、図４の回路基板上にキーラバーシート５３を配置した様子を拡大して示す図である。
図６は、キーラバーシート５３を裏面（背面）側から示す図である。
【００２５】
第１の筐体１０２は、図４に示すように、フロントケース５０、キートップ５１、キーフレーム５２、キーラバーシート５３、メタルドーム配列部５４、シールドシート５４ａ、回路基板５５、およびリアケース５７を有して構成される。
回路基板５５のヒンジ部１０３に配置される領域には、電子部品（第２の電子部品）が実装されると共に、バイブレータ６０を収容するケース体６１が配置されている。このバイブレータ６０およびケース体６１の具体的な構成については後で詳述する。
【００２６】
キートップ５１は、フロントケース５０に形成せれた開口部５０ａにはめ込むように配置され外部に露出する。キートップ５１、キーフレーム５２、および弾性体としてのキーラバーシート５３は、テンキー配列等が対応付けて形成され、重ね合わされる。
キーラバーシート５３の裏面にはキー配列に対応してキートップに対するキー押下を検知させるためのラバーからなる当接部（突状部）５３ａが形成されている。
メタルドーム配列部５４は、キー配列に対応してキー押下時にキーラバーシート５３の当接部（突状部）５３ａにより押下されるメタルドーム５４ａが配列されており、回路基板５５の一面側に配置され、キー操作をスイッチ接点のように機能して、図示しない制御系に所定のキー操作が行われることを伝達する機能を有する。
【００２７】
次に、ヒンジ部１０３に配置されるバイブレータ６０およびそのケース体６１について説明する。
【００２８】
図７は、本実施形態に係るバイブレータ６０がケース体（６１）に収容された構成を示し図である。
図８（Ａ），（Ｂ），（Ｃ），（Ｄ）は、バイブレータのケース体６１の構成を示す図である。
図９は、バイブレータ６０がケース体（６１）に収容される前の第２の筐体のヒンジ部の配置領域を示す図である。
図１０は、バイブレータ６０がケース体（６１）に収容された状態の第２の筐体のヒンジ部１０３の配置領域を示す図である。
【００２９】
図７に示すようにバイブレータ６０は、偏心回転可能に構成される偏心回転部（モータ分銅）６０１と、偏心回転部６０１の偏心回転を駆動する駆動部（駆動モータ）６０２とを有する。
【００３０】
バイブレータ６０が収容されるケース体６１は、図７および図８に示すように、モータ収容部６１１と、モータ収容部６１１に隣接して形成された偏心回転部６０２を収容する分銅収容部６１２と、一定距離を隔てて偏心回転部６０２の少なくとも一部を囲繞する囲繞部６１３と、モータ収容部６１１の外側部に配置される細線同軸ケーブル（第１の信号線）７０をヒンジ部１０３の内部側に押圧する押圧部６１４と、を有する。
【００３１】
ケース体６１は、図９および図１０に示すように、第２の筐体１０２のリアケース５７のヒンジ部１０３の配置領域５７１に配設される。
そして、囲繞部６１３は、図１０に示すように、ヒンジ部１０３のヒンジアセンブリ３１を第２の筐体１０２の幅方向から被覆する機能を有する。
これにより、ヒンジアセンブリ３１のずれやはずれ抑制され、偏心回転部の偏心回転運動が適切に駆動されるために設けられた囲繞部６１３により抑制されるため、部品点数の削減が図られる。
【００３２】
なお、囲繞部６１３は、ヒンジアセンブリ３１を被覆するのみならず、当接するように構成されていてもよい。
これにより、囲繞部６１３、ヒンジアセンブリ３１を介してバイブレータ６０の振動が伝達され、第１の筐体１０１および第２の筐体１０２のいずれに対しても、バイブレータ６０の振動が伝達されやすくなる利点がある。
【００３３】
また、囲繞部６１３のヒンジアセンブリ３１と対向する外面側に、リアケース５７に嵌合させて取り付けるための凸部（または凹部）のケース嵌合用リブ６１３ａ，６１３ｂが形成されている。
そして、リアケース５７のヒンジ部１０３の配置領域５７１の内壁には、囲繞部６１３のケース嵌合用リブ６１３ａ，６１３ｂと嵌合する凹部（または凸部）のケース体取り付け用リブ１０３ａ，１０３ｂが形成されている。
囲繞部６１３のケース嵌合用リブ６１３ａ，６１３ｂとケース体取り付け用リブ１０３ａ，１０３ｂとが嵌合されてケース体６１が第２の筐体１０２のヒンジ部１０３の配置領域５７１に取り付けられる。
これにより、ケース体６１の取り付け強度が強化されると共に、ケース体６１のヒンジアセンブリ３１の軸線方向への移動が規制されてヒンジアセンブリ３１はずれやはずれが好適に抑制される。
【００３４】
また、偏心回転部６０２は、連結軸の軸線方向に対して垂直方向側から一定距離を隔ててヒンジ部１０３の配置領域５７１内壁に囲繞される。
これにより、囲繞部６１３で回転部全体を囲繞する必要がなく、ケース体６１の小型、軽量化が図られ、携帯電子機器全体の小型化、軽量化が図られる。
一方、ケース体の小型化、軽量化が図られていても、ケース体６１の強度はケース嵌合用リブ６１３ａ、６１３ｂとケース体取り付け用リブ１０３ａ、１０３ｂとの嵌合により好適に確保される。
【００３５】
図１１は、第２の筐体のリアケースに回路基板５５を配置した状態を示す図である。
図１２は、バイブレータ６０の近傍にスピーカ（音響装置）配置される場合の配線等の例を示す図である。
【００３６】
本実施形態においては、図１１示すように、回路基板５５の操作部１２側（ヒンジ部１０３（配置領域５７１）内部側）の基板面（閉状態において第１の筐体１０１と対向する面）５５ｂのヒンジ部１０３の近傍には、細線同軸ケーブル７０が接続されるコネクタ７３が設けられている。
また、回路基板５５の操作部１２側と反対側となるリアケース５７側の基板面５５ｃには、たとえば音響装置としてのスピーカ用のＦＰＣ（信号線）８０を接続するためのコネクタ７４が配設されている。
ケース体６１の押圧部６１４は、線同軸ケーブル（第１の信号線）７０をヒンジ部１０３の内部（配置領域５７１）側に押圧する機能を有している。
これにより、回路基板５５のリアケース側５７に通常設けられるコネクタ７３が、操作部１２側に設けられることなり、細線同軸ケーブル７０を従来に比して短くすることができ、筐体の小型化を図ることができる。かつ、細線同軸ケーブル７０が、バイブレータ６０が配設されるケース体６１の押圧部６１４により連結部の内部（配置領域５７１）側に押圧されるため、細線同軸ケーブル７０がコネクタ７３に好適に接続されると共に、改めて細線同軸ケーブル７０をヒンジ部（連結部）１０３の内部側の押圧するための構成を必要とせず、部品点数の削減を図ることができる。
【００３７】
また、本実施形態においては、第１の筐体１０１と第２の筐体１０２のいずれか一方の内部であってヒンジ部１０３の近傍に音響装置としてのスピーカが配設される。
この場合、押圧部６１４により細線同軸ケーブル７０がヒンジ部１０３内部に押圧される結果、ヒンジ部１０３内部に形成される空間が押圧部６１４により閉塞されるため、ヒンジ部１０３内部を介して音響装置であるスピーカからの音漏れまたは意図しない集音が抑制される。
【００３８】
また、バイブレータ６０は、回路基板５５と電気的に接続されるＦＰＣ８０（第２の信号線）を有し、ＦＰＣ８０は、押圧部６１４における細線同軸ケーブル７０を押圧する側の面と反対側の面側に配設される。
これにより、細線同軸ケーブルとの干渉が押圧部６１４により抑制される。
【００３９】
また、音響装置としてのスピーカは、回路基板５５と電気的に接続されるＦＰＣ（第３の信号線）８０（バイブレータ６０のＦＰＣ８０と同じ）を有し、ＦＰＣ（第３の信号線）８０は、押圧部６１４における細線同軸ケーブル（第１の信号線）７０を押圧する側の面と反対側の面側に配設される。
これにより、細線同軸ケーブル７０とＰＣ（第３の信号線）８０との干渉が抑制される。
【００４０】
なお、本実施形態の押圧部６１４は、図８に示すように、側面につば部６１４ａを設け、そのつば形状をＲ形状のように滑らかな形状として形成されている。
これにより、細線同軸ケーブル７０を組み込む時に傷つきを抑制でき、また、細線同軸ケーブル７０を固定することも可能となる。
また、スピーカを配置した場合にも、つば部６１４ａがケースの蓋としての役割を果たすことから、上述したように細線同軸ケーブル７０の通過する穴を塞ぎ、第１の筐体１０１側へ音が漏れていくのを防ぐ役割を持たせることが可能で、スピーカの音圧を確保することに役立つ。
【００４１】
以上説明したように、本実施形態の携帯端末１００によれば、第１の筐体１０１と、第１の筐体内に配設された第１の電子部品２４ａと、第２の筐体１０２と、第２の筐体１０２内に配設された第２の電子部品５５ａと、第１の筐体と第２の筐体とが重なり合う閉状態と前記重なり合う程度が前記閉状態に比べて小さい開状態との間を回動可能に前記第１の筐体１０１と前記第２の筐体１０２とを連結するヒンジ部１０３と、ヒンジ部１０３の内部を介して第１の電子部品と第２の電子部品とを電気的に接続する細線同軸ケーブル（第１の信号線７０と、を有し、第２の筐体１０２には、第２の電子部品と電気的に接続された回路基板５５が配置され、回路基板５５は、ヒンジ部１０３の内部側の面に第１の信号線が接続されるコネクタ７２を有し、ヒンジ部１０３内には、振動可能なバイブレータ６０と、バイブレータが配置されるケース体６１が配設され、ケース体６１は、１の信号線をヒンジ部１０３の内部側に押圧する押圧部６１４を有することから、以下の効果を得ることができる。
【００４２】
第２の筐体１０１の内部側で接続できることから、細線同軸ケーブル７０を従来に比して短くすることでき、第２の筐体１０２の小型化が図られ、かつ、細線同軸ケーブル７０が、バイブレータ６０が配設されるケース体６１の押圧部６１４によりヒンジ部の内部側に押圧されるため、細線同軸ケーブル７０がコネクタに好適に接続されると共に、改めて細線同軸ケーブル７０をヒンジ部の内部側の押圧するための構成を必要とせず、部品点数の削減が図られる。
【００４３】
また、第１の筐体１０１と前記第２の筐体１０２のいずれか一方の内部であってヒンジ部１０３内部に音響装置（スピーカ）が配設される。
この場合、押圧部６１４により細線同軸ケーブル７０がヒンジ部１０３部内部に押圧される結果、ヒンジ部１０３内部に形成される空間が押圧部により閉塞されるため、ヒンジ部１０３内部を介して音響装置からの音漏れまたは意図しない集音が抑制される。
【００４４】
また、バイブレータ６０は、回路基板５５と電気的に接続されるＦＰＣ８０を有し、ＦＰＣ８０は、押圧部６１４における細線同軸ケーブル７０を押圧する側の面と反対側の面に配設されることから、細線同軸ケーブル７０とＦＰＣ８０との干渉が抑制される。
【００４５】
また、音響装置は、回路基板５５と電気的に接続されるＦＰＣ８０を有し、ＦＰＣ８０は、押圧部６１４における細線同軸ケーブル７０を押圧する側の面と反対側の面側に配設されることから、細線同軸ケーブル７０とＦＰＣ８０との干渉が抑制される。
【００４６】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
【図面の簡単な説明】
【００４７】
【図１】本発明の実施形態の携帯端末の外観を示す図である。
【図２】本発明の実施形態の携帯端末の第１の筐体側の内部構造を示す分解斜視図である。
【図３】ヒンジ部が第１の筐体のフロントケースに結合された様子を示した図である。
【図４】携帯端末の第２の筐体側の内部構造を示す分解斜視図である。
【図５】図４の回路基板上にキーラバーシートを配置した様子を拡大して示す図である。
【図６】キーラバーシートを裏面（背面）側から示す図である。
【図７】本実施形態に係るバイブレータがケース体（ホルダ）に収容された構成を示し図である。
【図８】バイブレータのケース体の構成を示す図である。
【図９】バイブレータがケース体（ホルダ）に収容される前の第２の筐体のヒンジ部の配置領域を示す図である。
【図１０】バイブレータがケース体（ホルダ）に収容された状態の第２の筐体のヒンジ部の配置領域を示す図である。
【図１１】第２の筐体のリアケースに回路基板を配置した状態を示す図である。
【図１２】バイブレータの近傍にスピーカ（音響装置）配置される場合の配線等の例を示す図である。
【符号の説明】
【００４８】
１００・・・携帯端末、１０１・・・第１の筐体、１０２・・・第２の筐体、１０３・・・ヒンジ部、１０・・・表示装置、１１・・・レシーバ、１２・・・操作部、１３・・・マイクロフォン、２０・・・ＬＣＤ用プレート、２１・・・フロントケース、２２・・・ＬＣＤモジュール、２３・・・板金、２４・・・回路基板、２５・・・サブＬＣＤモジュール、２６・・・リアケース、３１・・・ヒンジアセンブリ、５０・・・フロントケース、５１・・・キートップ、５２・・・キーフレーム、５３・・・キーラバーシート５３、５４・・・メタルドーム配列部、５５・・・回路基板、５７・・・リアケース、６０・・・バイブレータ、６１・・・ケース体６１、６１３・・・囲繞部、６１４・・押圧部。
【図１】
2009182738.tif 000003
【図２】
2009182738.tif 000004
【図３】
2009182738.tif 000005
【図４】
2009182738.tif 000006
【図５】
2009182738.tif 000007
【図６】
2009182738.tif 000008
【図７】
2009182738.tif 000009
【図８】
2009182738.tif 000010
【図９】
2009182738.tif 000011
【図１０】
2009182738.tif 000012
【図１１】
2009182738.tif 000013
【図１２】
2009182738.tif 000014